(57)【要約】      （修正有）【課題】被看護者の動静をより早く把握することができる離床センサを提供する。【解決手段】少なくともセンサを構成する袋体１６の一部が枕の下に敷かれて使用される離床センサであって、該離床センサはガスバリア性を有し折り曲げ可能なシート状の袋体と、該袋体の外面または内面に配置された無線送信器２からなり、被看護者等が枕から離間したときに、センサがそれを検知して検出信号を無線送信器に伝送し、該無線送信器はセンサから伝送されてきた検出信号を遠隔地に無線送信することを特徴とする枕下敷き用離床センサ。【選択図】図１
0003144892.tif 000002
【実用新案登録請求の範囲】
【請求項１】
少なくともセンサを構成する袋体の一部が枕の下に敷かれて使用される離床センサであって、該離床センサはガスバリア性を有し折り曲げ可能なシート状の袋体と、該袋体の外面または内面に配置された無線送信器からなり、被看護者等が枕から離間したときに、センサがそれを検知して検出信号を無線送信器に伝送し、該無線送信器はセンサから伝送されてきた検出信号を遠隔地に無線送信することを特徴とする枕下敷き用離床センサ。
【請求項２】
前記離床センサは、少なくとも袋体を着脱自在に覆うカバーをさらに備えており、前記カバーは、枕および／または袋体に着脱自在に取り付けられていることを特徴とする請求項１記載の枕下敷き用離床センサ。
【請求項３】
前記センサは、荷重検知センサ、電極対抗センサまたは静電容量センサであることを特徴とする請求項１または２記載の枕下敷き用離床センサ。
【請求項４】
前記荷重検知センサは、所定間隙を有し対向して配置された一対の電極板と、該電極板に設けられた電極と、該電極からの接点信号を取出すための信号取出部と、前記電極板の周囲に空間を設けて外被した袋体とから構成されていることを特徴とする請求項３記載の
枕下敷き用離床センサ。
【請求項５】
前記電極対抗センサは、所定間隙を有し対向して配置された一対の電極板と、該電極板に設けられた電極と、該電極間に設けられた接点と、該電極からの接点信号を取出すための信号取出部と、前記電極板の周囲に空間を設けて外被した袋体とから構成されていることを特徴とする請求項３記載の枕下敷き用離床センサ。
【請求項６】
前記静電容量センサは、静電容量タッチ電極と、該静電容量タッチ電極と誘電体とで構成されるコンデンサーの静電容量の変化を検出してタッチ検出信号を出力するタッチ検出回路とを有しており、前記タッチ検出回路が、前記静電容量の変化を検出することを特徴とする請求項３記載の枕下敷き用離床センサ。
【考案の詳細な説明】
【技術分野】
【０００１】
本考案は、枕の下に敷いて使用するセンサであって、被看護者等が枕から離れたときに、それをセンサで検知して検出信号をナースセンター等の遠隔地に無線送信する枕下敷き用離床センサに関するものである。
【背景技術】
【０００２】
病院や介護施設等において被看護者の介護を行う場合、看護者にとっては精神的、肉体的に非常に大きな負担がかかるため、これを軽減するために様々な介護支援装置が提案されている。例えば、本出願人は、介護支援装置に用いる離床センサとして、被看護者がベッド、車椅子または椅子から離床あるいは離席したことを検知するものとして、荷重の増減と空気圧の作用によって作動する離床センサを提案している（特許文献１参照。）
【０００３】
また、導電性繊維を用いた導電性布帛と該導電性布帛の表面を覆う布からなる静電容量タッチセンサを、被看護者が横臥するベッドの端部に設け、被看護者が静電容量タッチセンサに接触もしくは近接することにより、静電容量タッチ電極と人体の誘電体とで構成するコンデンサーの静電容量の変化を検出して、検出信号を出力する離床状況検知装置が開示されている（特許文献２参照）。
【特許文献１】特開２００５−１５２６１６号公報
【特許文献２】特開２００７−２１３８４５号公報
【考案の開示】
【考案が解決しようとする課題】
【０００４】
上記先行文献１および２に開示されたものは、いずれもベッドのマット上やベッド下の周辺に設置しておき、被看護者がベッドから離床するときの動静をナースセンター等の遠隔地に報知するものであり、看護師等はこれらの情報を得て被看護者の動静を監視することができる。しかしながら、被看護者はベッドから降りようとしたときに体勢を崩すことがあり、それにより身体の様々な部分を損傷するという問題点があった。このような状況下において、被看護者の動静をより早く把握することができる離床センサの開発が望まれていた。
【課題を解決するための手段】
【０００５】
本考案の枕下敷き用離床センサ（以下、離床センサという）は、枕の下に敷くか、少なくとも離床センサを構成する袋体の一部を枕の下に敷いて使用されるものである。前記袋体はガスバリア性と折り曲げることができる柔軟性を合わせてもつ合成樹脂シートにより形成されている。前記袋体の外面または内面には無線送信器が配置されており、被看護者等が枕から離間したときに、センサがそれを検知して検出信号を無線送信器に伝送し、該無線送信器はセンサから伝送されてきた検出信号をナースセンター等の遠隔地に無線送信することを特徴としている。
【０００６】
これにより、看護者は被看護者が枕から離れたときに、その動静を迅速に把握して適切に対応することができるので、被看護者がベッドから降りようとしたときに体勢を崩して身体各部を損傷したり、ベッドを離れて俳諧する等を未然に防止することができる。なお、被看護者が寝返りや頭部を持ち上げる等の短時間の動作については、遅延タイマー（図示しない）を設けることでセンサが検出信号を検出しないように設定することができる。
【０００７】
前記袋体の外面または内面には、検出信号をナースセンター等の遠隔地に送信する無線送信器が取り付けられている。該無線送信器は着脱可能に装着された電池により駆動されているが、無線送信器が袋体の外面に設けられている場合は電池交換を容易に行うことができる。また、袋体の内面に無線送信器が設けられている場合でも、袋体の側縁部に開閉口を設けることにより、該開閉口から無線送信器を取り出して容易に電池交換することができる。
【０００８】
本考案の離床センサは、袋体を着脱自在に覆うカバー、即ち、枕と該枕に下敷きされた袋体を一緒に巻回する大きさを有するシート体または筒状体を備えている。前記カバーは、ボタン、フック、紐、ファスナまたは面ファスナ等により、枕および／または袋体に着脱自在に取り付けられていることを特徴としている。これにより、被看護者が枕を動かしても、枕に下敷きされた袋体は枕からズレないので、看護者は被看護者の動静を正確に監視することができる。
【０００９】
本考案の離床センサには、荷重検知センサが用いられている。該荷重検知センサは、所定間隙を有し対向して配置された一対の電極板と、該電極板に設けられた電極と、該電極からの接点信号を取り出すための信号取出部と、前記電極板の周囲に空間を設けて外被した袋体とから構成されていることを特徴としている。これにより、前記電極は、袋体内部の全面に設けられており、被看護者が枕から離間すると荷重検知センサが検知して検出信号をナースセンター等の遠隔地に無線送信するので、被看護者の動静を正確に監視することができる。
【００１０】
本考案の離床センサには、電極対向センサが用いられている。該電極対向センサは、所定間隙を有し対向して配置された一対の電極板と、該電極板に設けられた電極と、対抗する電極間の中間部に設けられた複数の接点と、該電極からの接点信号を取出すための信号取出部と、前記電極板の周囲に空間を設けて外被した袋体とから構成されていることを特徴としている。これにより、前記電極の対抗面の空間部に接点を設けた構造であるため、被看護者が枕から離間すると電球区対向センサが検出して検出信号をナースセンター等の遠隔地に無線送信するので、被看護者の動静を、より正確に監視することができる。
【００１１】
本考案の離床センサには、静電容量センサが用いられている。該静電容量センサは、静電容量タッチ電極と、該静電容量タッチ電極と誘電体とで構成されるコンデンサーの静電容量の変化を検出してタッチ検出信号を出力するタッチ検出回路とを有しており、前記タッチ検出回路が、前記静電容量の変化を検知して検出信号を無線送信する。これにより、被介護者等が枕から離間すると、センサが検出して検出信号をナースセンター等の遠隔地に無線送信するので、被看護者の動静を正確に監視することができる。
【考案の効果】
【００１２】
本考案の離床センサによれば、看護者は被看護者が枕から離れたときに、その動静を迅速に把握して適切に対応できるので、被看護者がベッドから降りようとしたときに体勢を崩して身体各部を損傷したり、ベッドを離れて俳諧すること等を未然に防止することができる。また、センサを構成する袋体の外面または内面には、検出信号をナースセンター等の遠隔地に送信する無線送信器が取り付けられており、無線送信器が袋体の外面に設けられている場合は電池交換を容易に行うことができ、袋体の内面に無線送信器が設けられている場合でも、袋体の側縁部に設けられた開閉口から無線送信器を取り出すことにより容易に電池交換をすることができる。
【００１３】
また、本考案の離床センサは、袋体を着脱自在に巻回するシート体または筒状体のカバーを備えているので、被看護者が枕を動かしても、枕に下敷きされた袋体は枕からズレないので、看護者は被看護者の動静を正確に監視することができる。
【考案を実施するための最良の形態】
【００１４】
本発明の実施形態について図面に基づき詳細に説明する。図１は本考案による離床センサの実施形態の一例を示したもので、（ａ）は袋体の外面に無線送信部を設けた平面図、（ｂ）は袋体の内面に無線送信部を設けた平面図、（ｃ）は（ａ）のＸ−Ｘ線断面図である。図２は本考案による離床センサの他の実施形態を示したもので、（ａ）は巻回形カバーを着脱自在に取り付けた斜視図、（ｂ）は（ａ）に示す巻回形カバーの展開図、（ｃ）は筒形カバーを着脱自在に取り付けた斜視図である。図３は本考案の離床センサに用いる無線送信部のブロック図である。図４は、図１（ｂ）に示す離床サンサの実施形態の一例を示したもので、（ａ）は無線送信部の挿入前、（ｂ）は無線送信部の挿入後、（ｃ）は取出口を折畳んだ状態、を示す説明図である。図５は、図１（ｂ）に示す離床サンサの他の実施形態を示したもので、（ａ）は無線送信部の挿入前、（ｂ）は無線送信部の挿入後を示す説明図である。図６は、図１（ｂ）に示す離床サンサの他の実施形態を示したもので、（ａ）は無線送信部の挿入前、（ｂ）は無線送信部の挿入後、（ｃ）は閉止板を折畳んだ状態、を示す説明図である。図７は本考案の電極対向センサを用いた離床センサの正面断面図である。図８は、本考案の離床センサにおいて、静電容量センサを用いた離床センサを示したもので、（ａ）は袋体の外面に無線送信部を設けた平面図、（ｂ）は袋体の内面に無線送信部を設けた平面図である。図９は、本考案の離床センサにおいて、静電容量センサに用いるセンサボックスのブロック図である。
【００１５】
図１において、離床センサＳは、センサ本体部１と無線送信部２で構成されている。離床センサＳは、枕の大きさに合わせて様々なサイズに形成することが可能であり、例えば、枕の底面と略同一のものから数倍の大きさに形成されており、数倍の大きさのものについては折り曲げて、少なくともその一部を枕の底面に敷き込むことができる。前記センサ本体部１の外被はガスバリア性を有し、折り曲げや枕の周囲に巻回できる柔軟性と耐水性を有するナイロン等の軟質合成樹脂シートにより袋体１６を形成している。なお、これに限らずＰＶＣ，ポリプロピレン、ターポリン、ゴムシートなど空気を透過させない材料であれば使用することが可能である。
【００１６】
前記無線送信部２は、図１（ａ）に示すように、センサ本体部１の外面に取り付けると、電池交換やメンテナンスを容易に行うことができる。また、図２（ｂ）に示すようにセンサ本体部１の内面に設ける場合には、袋体１６の側縁部に開閉口を設けているから、この開閉口から前記無線送信部２を取り出すことが可能となるので、電池交換やメンテナンスを容易に行うことができる。
【００１７】
図１（ｃ）において、離床センサＳは、所定間隙を有し対向して配置された一対の電極板と、該電極板の対向する面にそれぞれ設けられた電極と、該電極からの接点信号を無線送信するための無線送信部２と、前記電極板の周囲に空間を設けて外被した袋体１６から構成されている。
【００１８】
一対の電極板は可撓性を有する薄板であり、例えば、合成樹脂板を用いて長方形などの略矩形状に形成されている。板厚は電極板の形状や寸法により異なるが０．１ｍｍ〜２ｍｍが望ましい。前記一対の電極板は、上電極板１１と下電極板１２が所定間隙を保持するようにクッション材１５を挟持して、上電極板１１と下電極板１２の電極面が対向するように配置されている。このクッション材１５は、押圧力Ｗにより収縮し押圧力Ｗが除かれると元の形状に戻る弾力性を有したもので、ウレタンスポンジ、ゴムスポンジ或いはＰＥスポンジ等、様々な材質のスポンジを用いることができる。また、スポンジに代えて所定の弾力性を有するゴム片を用いることも当然可能である。前記クッション材１５は、上電極板１１と下電極板１２のいずれかの面又は両面に接着剤を用いて貼着されている。
【００１９】
電極は、上電極板１１及び下電極板１２の片面にそれぞれ設けられており、端部に電極引出口（図示しない）が設けられている。この上電極１３と下電極１４が設けられている面を対向させて接触させると多数の接点Ｐができるように配置されている。多数の接点Ｐができるように上電極１３および下電極１４を配置するためには、例えば、前記上電極板１１に全配線が接続された複数の縦配線よりなる上電極１３を設け、下電極板１２に全配線が接続された複数の横配線よりなる下電極１４を設け、これらの電極面を接触させることにより多数の接点Ｐを得ることができる。また、上電極板１１，下電極板１２のどの部分に押圧力Ｗが加えられても接点Ｐができるようにするため、上電極１３，下電極１４は上電極板１１，下電極板１２の全面にわたって配線されている。
【００２０】
前記上電極１３，下電極１４を上電極板１１，下電極板１２に配線するためには、例えば、ポリエステル、エポキシ、ポリイミド、ＰＶＣ，ＰＥＴ等の合成樹脂シートからなる電極板の表面にＣｕ−Ｎｉ合金、Ｎｉ−Ｃｒ合金等からなる薄膜状の抵抗素子を蒸着又はスパッタリングにより形成する方法、前記電極板の表面に印刷配線により形成する方法等が用いられる。印刷配線の構造は、合成樹脂フィルムシート材に導電性ペーストを印刷し接点が形成される。印刷で接点や回路を形成する導電性ペーストには銀ペーストが用いられ、通常は銀ペーストの上からカーボンペーストをオーバーコートする。これは、銀のマイグレーション（高温度下で直流電圧を印加することにより、銀がパターン間を移行する現象で短絡事故の原因となる）防止と銀接点表面の酸化や硫化を防止するためである。
【００２１】
袋体１６は、所定間隙を保持し電極面を対向して配置された上電極板１１及び下電極板１２の全周を覆い、且つ、前記上電極板１１及び下電極板１２と袋体１６の周囲には空気Ａが貯留する空間を設けていると共に、袋体１６の全周縁は空気が漏洩しないように高周波溶着５２により密閉されている。また、前記下電極板１２の両端部は袋体１６に固着されているが、離床センサＳの取扱安定性を高めるために、前記上電極板１１または下電極板１２いずれかの外周縁に複数の突起片（図示しない）を設けて、該袋体１６の内縁部に接触させるか該袋体１６に固着させてもよい。
【００２２】
図２（ａ）において、本考案の離床センサＳは枕８０の底面に敷き込まれている。そして、枕８０および枕底面に敷き込まれた離床センサＳを、図２（ｂ）に示すような略四辺形の巻回形カバー１７で巻回することにより、枕８０と離床センサＳとのズレを防止している。この巻回形カバー１７は枕カバーとしての機能をも有している。また、図２（ｂ）に示すように、巻回形カバー１７には、枕８０と離床センサとを一緒に巻回して保持するための係止手段１９として面ファスナが用いられているが、これに限定されるものではなく、ボタン、フック、紐、ファスナ等を用いることができる。なお、この係止手段１９は、巻回形カバー１７の適宜位置に設けることができるが、係止手段１９を設けなくても使用することは可能である。
【００２３】
図２（ｃ）において、枕８０と枕底面に敷き込まれた離床センサＳを筒形カバー１８で包囲して、枕８０と離床センサＳとのズレを防止するとともに枕カバーとしての機能も付加している。また、前記筒形カバー１８に代えて、袋体カバー（図示しない）とすることもできる。なお、係止手段を設けることの有無については前記と同様である。
【００２４】
図３において、無線送信部２は、無線送信器２０および電池３０が組み込まれている。無線送信器２０は、制御回路２１，送信回路２２およびアンテナ２４などから構成されている。制御回路２１は、図１（ｃ）に示す上電極板１１および下電極板１２に接続された入力端子２１ａ，２１ｂを備えており、両電極１３，１４が接触すると荷重が加えられたことを示す検出信号を送信回路２２に出力し、次に、両電極１３，１４が離間すると、それに反応して離れたことを表す検出信号を送信回路２２に出力する。該送信回路２２はアンテナ２４を介して前記検出信号を無線送信する。無線送信器２０は複数の機器番号を設定する機能を有しているので、同一病室に複数の離床センサＳが設置されていても混信することはない。このように、離床センサＳを用いると被看護者が枕８０から離れたことを迅速的確に監視する手段として、ナースコールシステムだけでなく、携帯型電話（ＰＨＳを含む）や無線管理システムにも適用することが可能である。
【００２５】
電池３０は、小型の乾電池または充電池（二次電池）が用いられ、制御回路２１と送信回路２２に電力を供給し、前記各回路２１、２２を動作させている。この無線送信部２を袋体１６の内部に取り付けるときは、袋体１６の内部に設けられた後述する収納室３に出し入れ自在に収納する。なお、前記電池３０はソーラー電源や商用電源（図示しない）に接続することも可能である。
【００２６】
図４（ａ）において、袋体１６の側縁近傍には、無線送信部２を収納する収納室３が袋体１６と同一素材により設けられている。該収納室３は、無線送信部２を出し入れできるように、側縁側の一辺を開口し、他の三辺を袋体１６の内表面に熱融着５１したポケット状に形成されている。また、前記収納室３の開口側には、袋体１６の側縁から取出口４が突設されている。該取出口４は、両端が開口された筒状体に形成されており、基端側は、無線送信部２を収納室３に導通できるように開口された状態で、周囲が袋体１６の側縁に溶着されている。なお、無線送信部２は、矢印に示す方向に、取出口の先端部から挿入して袋体１６の収納室３に収納される。
【００２７】
図４（ｂ）において、取出口４の片面と、その片面により被着される袋体１６の当接面には、再剥離可能な取付手段４１、例えば、面ファスナ、粘着剤または接着剤を用いた両面テープ等が設けられている。取出口４の先端は、無線送信部２を袋体１６内部の収納室３に収納した後に約５ｍｍ幅で熱溶着５１される。ここで、熱溶着とは熱可塑性のフィルムシートを熱によって溶かし、加圧と冷却することで接着させるもので、熱風式、熱板式、インパルス式、コテ式等がある。これにより、取出口４の先端は密閉されるので水等が浸入することはない。
【００２８】
図４（ｃ）において、再剥離可能な取付手段４１を設けた取出口４の片面を、その片面によって被着される袋体１６の当接面に被せることにより、取出口４は袋体１６の表面に沿って係止される。なお、再剥離可能な取付手段４１は、取出口４の任意の片面または両面に取り付けが可能であり、この場合、袋体１６に取付けられる再剥離可能な取付手段４１も、前記取付口４の再剥離可能な取付手段４１に対向する片面または両面位置に設けられる。
【００２９】
図５（ａ）において、袋体１６の側縁近傍には、無線送信部２を収納する収納室３が袋体１６と同一素材により設けられている。該収納室３は、無線送信部２を出し入れできるように、側縁側の一辺を開口し、他の三辺を袋体１６の内表面に熱融着５１したポケット状に形成されている。また、前記収納室３の開口側には、袋体１６の側縁に取出口４ａが設けられている。該取出口４ａは、袋体１６外周の溶着面の幅よりも若干広幅または狭幅の範囲で形成されており、無線送信部２を収納室３に導通できるように開口されている。なお、無線送信部２は、矢印に示す方向に、取出口４ａから挿入して袋体１６の収納室３に収納される。
【００３０】
図５（ｂ）において、袋体１６の取出口４ａを除く全周囲は高周波溶着５２されている。高周波溶着とは、高周波誘電加熱法を用いた溶着方法であり、数１０ＭＨｚの高周波（電磁波）エネルギーの電界作用によって、原子や分子レベルの電位的な運動により被加熱物自身（誘電体）を発熱させる方法である。ヒーター等を使用した加熱方法は、被加熱物の外部にある熱源から、熱伝導（熱の移動）によって加熱する方法（外部加熱）である。それに対して高周波誘電加熱は、被加熱物自身を発熱させる（内部加熱）ものである。高周波溶着では、被加熱物の溶着する箇所のみを内部加熱させるため、短時間でかつ溶着しない箇所に熱の影響を与えない。そのため美しい風合いで仕上がる。
【００３１】
取出口４ａは、無線送信部２を袋体１６内部の収納室３に収納した後に、１〜２ｍｍ幅で超音波溶着５３される。これによれば、取出口４ａを折り曲げて袋体１６面に被着させる必要がないので、さらに取扱が容易となる。また、取出口４ａは密閉されるので、水等が袋体１６の内部に侵入することはない。超音波溶着とは、周波数２０ｋＨｚ以上の超音波エネルギーをホーンと呼ばれる共鳴体から超音波振動を被加熱物に伝え、強力な摩擦熱を発生させ溶着する方法である。超音波溶着は、サイクルが早い、コストが安い、仕上がりがきれい、強度が高い、高い気密性が得られる等、多くの利点があり取出口を溶着する手段としては特に適したものである。なお、熱溶着、高周波溶着および超音波溶着について、施工位置を特定して説明したが、本考案はこれに限定されるものではなく、全ての施工位置に熱溶着、高周波溶着および超音波溶着のいずれかを施工することができる。
【００３２】
図６（ａ）において、袋体１６の側縁近傍には、無線送信部２を収納する収納室３が袋体１６と同一素材により設けられている。該収納室３は、無線送信部２を出し入れできるように、側縁側の一辺を開口し、他の三辺を袋体１６の内表面に熱融着５１したポケット状に形成されている。また、前記収納室３の開口側には、袋体１６の側縁から閉止板５が延設されている。該閉止板５は、柔軟性を有する材料を用いてシート状に形成されており、基端側は袋体１６の側縁に溶着されている。なお、無線送信部２は、矢印に示す方向に、開口部分から挿入して袋体１６の収納室３に収納される。
【００３３】
図６（ｂ）において、閉止板５の片面と、その片面により覆着される袋体１６の当接面には、再剥離可能な取付手段４１、例えば、面ファスナ、粘着剤または接着剤を用いた両面テープ等が設けられている。
【００３４】
図６（ｃ）において、再剥離可能な取付手段４１を設けた閉止板５の片面を、その片面によって覆着される袋体１６の当接面に被せることにより、閉止板５は袋体１６の表面に沿って係止される。なお、再剥離可能な取付手段４１は、閉止板５により袋体１６の開口部分を覆う側の片面に取り付けられており、袋体１６に取付けられる再剥離可能な取付手段４１も、前記閉止板５の再剥離可能な取付手段４１に対向する片面位置に設けられる。
【００３５】
以下、本考案の無線送信部２の取替手順例について説明する。（１）取出口４を袋体１６表面から再剥離する。（２）取出口４の溶着部分を刃物等で切除して先端部分を開口する。（３）袋体１６の内部の収納室３より無線送信部２を取り出す。（４）無線送信器２０の修理、電池３０の交換、あるいは新規の無線送信部２を準備する。（５）修理または交換された無線送信部２を袋体１６内部の収納室３に収納する。（６）取出口４の先端部を再び熱溶着５１する。（５）取出口４に設けられている取付手段４１を用いて、袋体１６の所定面に貼付する。この手順により、無線送信部２は、繰り返し修理または新規交換が可能となる。
【００３６】
図７において、電極対向センサ７は所定間隙を有し対向して配置された一対の電極板１１，１２と、該電極板１１，１２の対向する面にそれぞれ設けられた電極１３，１４と、対向した該電極１３，１４の中間位置に設けられた複数の接点Ｑと、該電極１３，１４からの接点信号を無線送信するための無線送信部２と、前記電極板１１，１２の周囲に空間を設けて被覆した袋体１６とから構成されている。
【００３７】
電極１３，１４は、上電極板１１及び下電極板１２の片面に設けられており、端部には電極引出口（図示しない）が設けられている。この上電極１３と下電極１４が設けられている面を対向させて、中間位置に設けられた接点Ｑに接触させるようにしている。なお、特に記載のない構成および機能については、前記した離床センサと同一である。
【００３８】
図８に基づいて、静電容量タッチセンサ８を説明する。静電容量タッチセンサ８は、導電性布帛からなる静電容量タッチ電極６２を袋体１６ａの一方の内面に縫い付ける等により一体化し、サンドイッチ状に挟んで構成されている。静電容量タッチ電極の長手方向の一端には、袋体１６ａの外面または内面にセンサボックス６０が設けられている。センサボックス６０は、その表面の少なくとも一面に、端子に接続された金属板が設けられ、前記静電容量タッチ電極６２とセンサボックス６０内に収められた可変容量コンデンサ−および発振回路が接続されている。
【００３９】
静電容量タッチ電極６２を構成する導電性布帛は、例えば、ナイロンに純度９９％の銀をコーティングした導電性繊維を布状に織り上げた素材を用いて、枕に対応する大きさの形状に形成され、繊維がもつ軽さおよび柔軟性と、金属が持つ導電性等の特性を併せてもっている。なお、前記材料に限らず導電性ゴムまたは樹脂を薄い平面状もしくはフィルム状にしたものを用いても、静電容量タッチ電極６２として機能させることができる。
【００４０】
静電容量タッチ電極６２を構成する導電性布帛を挟み込む袋体１６ａとして、銀粉を浸透固着した抗菌・防汚加工が施され、かつ、その繊維には導電性化学繊維が織り込まれた静電防止加工が施されているものを使用することによって、衛生面の維持確保に併せて、静電容量タッチ電極６２の導電体としての機能維持に一層寄与することができる。
【００４１】
図９において、静電容量タッチセンサ８は、静電容量タッチ電極６２と、タッチ検出処理部６３および出力部６４からなるタッチ検出回路６１と、アンテナ６５で構成されている。静電容量タッチ電極６２は、導電性を有する繊維を編んだ布や金属箔などからなる一定の面積以上を有する電極であり、その表面を布製の袋体（絶縁体）で覆って構成されている。これに被看護者等の人体（誘電体）またはその一部が接触するか近傍に位置することによって、人体によって接地されたコンデンサ−を構成する。
【００４２】
タッチ検出処理部６３は、静電容量タッチ電極６２から被看護者が離間することによって、タッチ検出信号を出力部６４へ出力する。出力部６４は、タッチ検出処理部６３からのタッチ検出信号をアンテナ６５から無線送信する。タッチ検出処理部６３と出力部６４からなるタッチ検出回路６１は、センサボックス６０に収納される。タッチ検出処理部６３と出力部６４とからなるタッチ検出回路６１はタッチ検出信号を出力する。このセンサボックス６０には電池３０から電力が供給されている。静電容量タッチセンサ８は、湿気を帯びたり水濡れ状態になっても静電容量の変化を検出する機能が損なわれることがない。なお、特に記載のない構成および機能については、前記した荷重検知センサ６および電極対向センサ７と同一である。
【産業上の利用可能性】
【００４３】
本考案は、主として被看護者の監視に用いるもので、被看護者の離床等の行動を、荷重の変化や静電容量の変化によって検知する離床センサに関するものであるが、これらの機能を応用して、例えば、ベッド下の周辺、出入口、窓枠などの住居開口部分に設置することにより、離床センサあるいは防犯センサとして利用することが可能である。
【図面の簡単な説明】
【００４４】
【図１】本考案による離床センサの実施形態の一例を示したもので、（ａ）は袋体の外面に無線送信部を設けた平面図、（ｂ）は袋体の内面に無線送信部を設けた平面図、（ｃ）は（ａ）のＸ−Ｘ線断面図である。
【図２】本考案による離床センサの他の実施形態を示したもので、（ａ）は巻回形シートを着脱自在に取り付けた斜視図、（ｂ）は（ａ）の巻回形シートの展開図、（ｃ）は筒形シートを着脱自在に取り付けた斜視図である。
【図３】本考案の離床センサに用いる無線送信部のブロック図である。
【図４】本考案による離床センサにおいて、袋体の内面に無線送信部を設ける実施形態を示したもので、（ａ）は無線送信部の挿入前、（ｂ）は無線送信部の挿入後、（ｃ）は取出口を折畳んだ状態を示す説明図である。
【図５】本考案による離床センサにおいて、袋体の内面に無線送信部を設ける他の実施形態を示したもので、（ａ）は無線送信部の挿入前、（ｂ）は無線送信部の挿入後を示す説明図である。
【図６】本考案による離床センサにおいて、袋体の内面に無線送信部を設ける他の実施形態を示したもので、（ａ）は無線送信部の挿入前、（ｂ）は無線送信部の挿入後、（ｃ）は閉止板を折畳んだ状態を示す説明図である。
【図７】本考案の離床センサにおいて、電極対向センサを用いた離床センサの正面断面図である。
【図８】本考案の離床センサにおいて、静電容量センサを用いた離床センサを示したもので、（ａ）は袋体の外面に無線送信部を設けた平面図、（ｂ）は袋体の内面に無線送信部を設けた平面図である。
【図９】本考案の離床センサにおいて、静電容量センサに用いるセンサボックスのブロック図である。
【符号の説明】
【００４５】
Ｓ  離床センサ
１  センサ本体部
２  無線送信部
３  収納室
４、４ａ  取出口
５  閉止板
６  荷重検知センサ
７  電極対向センサ
８  静電容量タッチセンサ
１１  上電極板
１２  下電極板
１３    上電極
１４    下電極
１５  クッション材
１６,１６ａ  袋体
１７  巻回形カバー
１８  筒形カバー
１９  係止手段
２０  無線送信器
２１  制御回路
２１ａ  入力端子
２１ｂ  入力端子
２２  送信回路
２４  アンテナ
３０  電池
４１  取付手段
５１  熱溶着
５２  高周波溶着
５３  超音波溶着
６０  センサボックス
６１  タッチ検出回路
６２  静電容量タッチ電極
６３  タッチ検出処理部
６４  出力部
６５  アンテナ
８０  枕
Ａ  空気
Ｐ  接点
Ｑ  接点
Ｗ  押圧力
【図１】
0003144892.tif 000003
【図２】
0003144892.tif 000004
【図３】
0003144892.tif 000005
【図４】
0003144892.tif 000006
【図５】
0003144892.tif 000007
【図６】
0003144892.tif 000008
【図７】
0003144892.tif 000009
【図８】
0003144892.tif 000010
【図９】
0003144892.tif 000011